(57)【要約】      （修正有）【課題】高さを調整可能なフェンスを提供する。【解決手段】調整式フェンスは、２本の支持柱と、フェンス部材と、２つの緩和部材と、を有し、２本の支持柱１０は、それぞれ間隔をおいて設置され、上部及び底部を備える柱１１及び、柱の内側面に凹設され、上端に柱の上部を貫通する上開口が形成され、底端に柱の底部を貫通する底開口が形成される組立溝を備える。フェンス部材２０は、２つの支持柱の間に設置され、２つの端部を介して摺動可能かつ取り外し可能に支持柱の組立溝に取り付けられる複数の横板を備える。２つの緩和部材は、それぞれ２本の支持柱の組立溝に取り付けられ、支持柱の柱とフェンス部材の間に位置する。横板の数量を自由に増減することによって、フェンスを好みの高さに調整することができる。【選択図】図１
0003205872.tif 000002
【実用新案登録請求の範囲】
【請求項１】
それぞれ間隔をおいて設置されると共に、上部及び底部を備える柱及び、該柱の内側面に凹設され、上端に柱の上部を貫通する上開口が形成され、底端に柱の底部を貫通する底開口が形成される組立溝を備える、２本の支持柱と、
前記２つの支持柱の間に設置され、２つの端部を介して摺動可能かつ取り外し可能に支持柱の組立溝に取り付けられる複数の横板を備える、フェンス部材と、
それぞれ前記２本の支持柱の組立溝に取り付けられると共に、該支持柱の柱とフェンス部材の間に位置する２つの緩和部材と、を有することを特徴とする調整式フェンス。
【請求項２】
前記各横板はさらに、上縁部と、底縁部と、上位置決め部と、下位置決め部を備え、該上位置決め部は上縁部に設けられ、該下位置決め部は、底縁部に設けられ、隣接する横板の上位置決め部に組み合わされ、
前記フェンス部材はさらに保持底板を有し、該保持底板は、複数の横板の下方に位置するように、摺動可能かつ取り外し可能に支持柱の組立溝に設置され、上縁部と、下側保持部と、２つの保持端部を有し、その内、該下側保持部は、上縁部に設けられ、隣接する横板の下位置決め部に組み合わされ、該保持端部は、保持底板の両端に設けられ、取り外し可能に２つの支持柱の組立溝に設置され、
前記緩和部材が支持柱の柱とフェンス部材の保持底板の保持端部との間に位置することを特徴とする請求項１に記載の調整式フェンス。
【請求項３】
前記緩和部材が保持底板の保持端部に嵌め込まれることを特徴とする請求項２に記載の調整式フェンス。
【請求項４】
前記各横板の底縁部の両側にそれぞれ傾斜部が設けられ、
前記保持底板の上縁部の両側にそれぞれ保持凸部が設けられ、また、該保持凸部が隣接する横板の傾斜部に組み合わされることを特徴とする請求項２または３に記載の調整式フェンス。
【請求項５】
前記フェンス部材はさらに保持上板を有し、該保持上板は、複数の横板の上方に位置するように、摺動可能かつ取り外し可能に２つの支持柱の組立溝に嵌め込まれると共に、底縁部及び上側保持部を備え、該上側保持部は、保持上板の底縁部に設けられ、隣接する横板の上位置決め部に組み合わされることを特徴とする請求項２または３に記載の調整式フェンス。
【請求項６】
前記各支持柱の柱の側面に拡張溝が凹設され、該拡張溝の上端に柱の上部を貫通する上開口が形成されると共に、底端に柱の底部を貫通する底開口が形成されることを特徴とする請求項１乃至３の何れか１項に記載の調整式フェンス。
【請求項７】
前記各支持柱における柱の上部と底部との間に、拡張溝に面する拡張面が設けられ、該拡張面の相対する箇所にそれぞれ、該拡張溝と連通する拡張凹部が凹設され、
前記拡張溝をカバーする縁部材を有し、該縁部材は、細長部及び２つの耳部を備え、そのうち、細長部は拡張溝をカバーするように取り付けられ、該耳部はそれぞれ、細長部の両側に延設され、それぞれ対応する拡張凹部に嵌め込まれることを特徴とする請求項６に記載の調整式フェンス。
【請求項８】
前記支持柱における柱の上部と底部との間に組立溝に面する組立面が設けられ、該組立面の相対する箇所にそれぞれ、組立溝と連通する組立凹部が凹設され、
前記支持柱の各柱の組立溝に、フェンス部材を押さえ付けるための位置合わせ部材が取り外し可能に取り付けられ、該位置合わせ部材は、取付板と、ネジ穴と、押圧板と、第一締付け部材と、第二締付け部材を備え、該取付板は、支持柱の組立凹部に嵌め込まれ、該ネジ穴は、取付板を貫通するように形成され、該押圧板は、取付板から延設されると共に、フェンス部材を押し付け、該第一締付け部材は、支持柱の組立面に押し付けながらネジ穴に螺合され、該第二締付け部材は、押圧板及びフェンス部材に捻じ込まれることを特徴とする請求項１乃至３の何れか１項に記載の調整式フェンス。
【請求項９】
前記各支持柱の柱の底部に足部材が設置され、該足部材は、連結部及び固定部を備え、そのうち、該連結部は柱の底部に取り付けられ、該固定部は連結部に設けられることを特徴とする請求項１乃至３の何れか１項に記載の調整式フェンス。
【請求項１０】
前記各支持柱の柱の上部に蓋部材が取り付けられ、該蓋部材は、組立溝の上開口をカバーすることを特徴とする請求項１乃至３の何れか１項に記載の調整式フェンス。
【考案の詳細な説明】
【技術分野】
【０００１】
本考案は、特に高さを調整可能なフェンスに関するものである。
【背景技術】
【０００２】
既存のフェンスは、土地の境界線を隔てたり、人や動物などの侵入を防止したりするための構造物であり、固定構造のブロックまたはコンクリートからなるものではなく、軽量の木材や竹、杭等から構成されるものである。
【考案の概要】
【考案が解決しようとする課題】
【０００３】
既存のフェンスは、複数の木板を並べて釘で固定することにより一体に構成することはできるが、木板の数量や高さを自由に調整することが難しく、フェンスの高さを調整するには、必ず手工具を用いて作業を行う必要があるので、時間がかかり非常に面倒である。
【課題を解決するための手段】
【０００４】
本考案の調整式フェンスは、それぞれ間隔をおいて設置されると共に、上部及び底部を備える柱及び、該柱の内側面に凹設され、上端に柱の上部を貫通する上開口が形成され、底端に柱の底部を貫通する底開口が形成される組立溝を備える、２本の支持柱と、
前記２つの支持柱の間に設置され、２つの端部を介して摺動可能かつ取り外し可能に支持柱の組立溝に取り付けられる複数の横板を備える、フェンス部材と、
それぞれ前記２本の支持柱の組立溝に取り付けられると共に、該支持柱の柱とフェンス部材の間に位置する２つの緩和部材と、を有するものである。
【０００５】
かかる調整式フェンスにおいて、
前記各横板はさらに、上縁部と、底縁部と、上位置決め部と、下位置決め部を備え、該上位置決め部は上縁部に設けられ、該下位置決め部は、底縁部に設けられ、隣接する横板の上位置決め部に組み合わされ、
前記フェンス部材はさらに保持底板を有し、該保持底板は、複数の横板の下方に位置するように、摺動可能かつ取り外し可能に支持柱の組立溝に設置され、上縁部と、下側保持部と、２つの保持端部を有し、その内、該下側保持部は、上縁部に設けられ、隣接する横板の下位置決め部に組み合わされ、該保持端部は、保持底板の両端に設けられ、取り外し可能に２つの支持柱の組立溝に設置され、
前記緩和部材が支持柱の柱とフェンス部材の保持底板の保持端部との間に位置することが好ましい。
【０００６】
かかる調整式フェンスにおいて、前記緩和部材が保持底板の保持端部に嵌め込まれることが好ましい。
【０００７】
かかる調整式フェンスにおいて、
前記各横板の底縁部の両側にそれぞれ傾斜部が設けられ、
前記保持底板の上縁部の両側にそれぞれ保持凸部が設けられ、また、該保持凸部が隣接する横板の傾斜部に組み合わされることが好ましい。
【０００８】
かかる調整式フェンスにおいて、前記フェンス部材はさらに保持上板を有し、該保持上板は、複数の横板の上方に位置するように、摺動可能かつ取り外し可能に２つの支持柱の組立溝に嵌め込まれると共に、底縁部及び上側保持部を備え、該上側保持部は、保持上板の底縁部に設けられ、隣接する横板の上位置決め部に組み合わされることが好ましい。
【０００９】
かかる調整式フェンスにおいて、前記各支持柱の柱の側面に拡張溝が凹設され、該拡張溝の上端に柱の上部を貫通する上開口が形成されると共に、底端に柱の底部を貫通する底開口が形成されることが好ましい。
【００１０】
かかる調整式フェンスにおいて、前記各支持柱における柱の上部と底部との間に、拡張溝に面する拡張面が設けられ、該拡張面の相対する箇所にそれぞれ、該拡張溝と連通する拡張凹部が凹設され、
前記拡張溝をカバーする縁部材を有し、該縁部材は、細長部及び２つの耳部を備え、そのうち、細長部は拡張溝をカバーするように取り付けられ、該耳部はそれぞれ、細長部の両側に延設され、それぞれ対応する拡張凹部に嵌め込まれることが好ましい。
【００１１】
かかる調整式フェンスにおいて、前記支持柱における柱の上部と底部との間に組立溝に面する組立面が設けられ、該組立面の相対する箇所にそれぞれ、組立溝と連通する組立凹部が凹設され、
前記支持柱の各柱の組立溝に、フェンス部材を押さえ付けるための位置合わせ部材が取り外し可能に取り付けられ、該位置合わせ部材は、取付板と、ネジ穴と、押圧板と、第一締付け部材と、第二締付け部材を備え、該取付板は、支持柱の組立凹部に嵌め込まれ、該ネジ穴は、取付板を貫通するように形成され、該押圧板は、取付板から延設されると共に、フェンス部材を押し付け、該第一締付け部材は、支持柱の組立面に押し付けながらネジ穴に螺合され、該第二締付け部材は、押圧板及びフェンス部材に捻じ込まれることが好ましい。
【００１２】
かかる調整式フェンスにおいて、前記各支持柱の柱の底部に足部材が設置され、該足部材は、連結部及び固定部を備え、そのうち、該連結部は柱の底部に取り付けられ、該固定部は連結部に設けられることが好ましい。
【００１３】
かかる調整式フェンスにおいて、前記各支持柱の柱の上部に蓋部材が取り付けられ、該蓋部材は、組立溝の上開口をカバーすることが好ましい。
【考案の効果】
【００１４】
本考案の調整式フェンスには、以下に示すようなメリットを有する。
１.  その横板の数量やフェンスの高さを自由に調整することができる。
２.  その緩和部材を有することから、保持底板または支持柱の柱の熱膨張や冷間圧縮で発生した力を緩和することにより変形を防止することができる。
３.  最も下方に位置する横板に保持底板が組み合わされることによって、一つ或いは複数の横板の中間部分がフェンス部材の重さで湾曲変形することを防止することができる。
４.  最も上方に位置する横板に保持上板が組み合わされることによって、一つ或いは複数の横板が支持柱から脱落することを防止できる。
５.  その位置合わせ部材が第一締付け部材及び第二締め付け部材によってフェンス部材を押さえ付けながら横板を固定して支持柱からの脱落を防止すると共に、フェンスの構造を強化する。
【図面の簡単な説明】
【００１５】
【図１】本考案に係る調整式フェンスの斜視図である。
【図２】図１の部分分解斜視図である。
【図３】図２の部分拡大分解斜視図である。
【図４】図１の部分分解斜視図である。
【図５】図１における支持柱部分の部分拡大平面図である。
【図６】図１における、支持柱及び足部材の部分分解斜視図である。
【図７】本考案に係る調整式フェンスの他の実施例の斜視図である。
【図８】本考案に係る調整式フェンスの更に他の実施例の斜視図である。
【図９】図１における複数の横板、保持底板、保持上板の部分断面図である。
【図１０】図９における最も下方に位置する横板及び保持底板の部分拡大断面図である。
【図１１】図１における位置合わせ部材を柱及びフェンス部材に取り付けた状態を示す部分拡大断面図である。
【図１２】複数の本考案の調整式フェンスを組み立てた状態を示す斜視図である。
【図１３】図１２における位置合わせ部材及び蓋部材を省いた状態の部分平面図である。
【考案を実施するための形態】
【００１６】
図１乃至図４に示すように、本考案に係る調整式フェンス１は、２本の支持柱１０と、フェンス部材２０と、２つの位置合わせ部材３０と、２つの緩和部材４０を有する。
【００１７】
図１乃至図５に示すように、前記２本の支持柱１０は、間隔をおいて縦方向に設置されると共に、それぞれ、柱１１と、組立溝１２と、２つの拡張溝１３と、２つの縁部材１４と、足部材１５と、蓋部材１６を備える。
【００１８】
図２乃至図５に示すように、前記柱１１は、細長状且つ断面矩形を呈し、前記組立溝１２は、柱１１の内側面に凹設され、前記拡張溝１３はそれぞれ、柱１１の内側面と隣接する両側面に凹設される。また、前記柱１１は、上部と、底部と、組立面１１１と、２つの拡張面１１２を備え、そのうち、組立面１１１は、組立溝１２に面するように柱１１の上部と底部との間に設けられると共に、その相対する箇所に２つの組立凹部１１１１が縦方向に凹設され、該各拡張面１１２は、拡張溝１３に面するように柱１１の上部と底部との間に設けられ、その相対する箇所にそれぞれ拡張凹部１１２１が縦方向に凹設される。尚、本実施例における柱１１は、木材やプラスチック、金属からなることが好ましく、また、アルミからなってもよく、如何なる金属からなってもよい。
【００１９】
図２乃至図５に示すように、前記組立溝１２は、２つの組立面１１１の間に位置し、且つ組立凹部１１１１と連通するように、支持柱１０の長手方向に沿って柱１１の内側面に凹設され、さらに、該組立溝１２の上端に柱１１の上部を貫通する上開口が形成されると共に、底端に柱１１の底部を貫通する底開口が形成される。
【００２０】
前記拡張溝１３は、２つの拡張面１１２の間に位置し、且つ拡張凹部１１２１と連通するように、支持柱１０の長手方向に沿って柱１１の内側面と隣接する両側面に凹設され、さらに、該拡張溝１３の上端に柱１１の上部と連通する上開口が形成されると共に、底端に柱１１の底部と連通する底開口が形成される。
【００２１】
図２、図３、図５に示すように、前記縁部材１４は、埃が溜まることを防止するために、拡張溝１３に嵌め込んでカバーするものであると共に、細長部１４１及び２つの耳部１４２を備え、そのうち、細長部１４１は、拡張溝１３をカバーするように取り付けられ、該耳部１４２はそれぞれ細長部１４１の両側に延設され、対応する拡張面１１２の拡張凹部１１２１に嵌め込まれる。
【００２２】
図１、図２、図５、図６に示すように、前記足部材１５は、複数のボルトによって柱１１の底部に取り付けられ、連結部１５１及び固定部１５２を備え、該連結部１５１は、柱１１の底部に取り付けられ、該固定部１５２は、連結部１５１に設けられる。
図２、図５、図６に示すように、本実施例においては、連結部１５１が連結プレートであり、固定部１５２は複数の固定穴１５２１を含み、それらの固定穴１５２１はそれぞれ、連結プレートを貫通するように形成される。尚、この構成によれば、複数の釘やボルトなどの固定部材を固定穴１５２１からコンクリートなどの床に捻じ込むと、足部材１５を安定的に固定することができる。
図７に示すように、他の実施例においては、固定部１５２Ａが平坦状の装着プレートであり、その連結部１５１Ａは、固定部１５２Ａの上面に凸設される。尚、この構成によれば、その固定部１５２Ａをコンクリートなどの床または土壌などの地面に埋めると、足部材１５Ａを安定的に固定することができる。
図８に示すように、更に他の実施例においては、連結部１５１Ｂが挿設ブロックであり、該固定部１５２Ｂは、連結部１５１Ｂの底部から錐状に凸設される。尚、この構成によれば、その固定部１５２Ｂを土壌の地面に突き刺すと、足部材１５Ｂを安定的に固定することができる。
【００２３】
図１乃至図３に示すように、前記蓋部材１６は、組立溝１２の上開口及び拡張溝１３の上開口をカバーするように、釘やボルトなどの固定部材によって柱１１の上部に取り付けられる。
【００２４】
前記フェンス部材２０は、摺動可能かつ取り外し可能に２つの支持柱１０に間に設置され、複数の横板２１と、保持底板２２と、保持上板２３を備える。
【００２５】
図１乃至図４及び図９に示すように、前記複数の横板２１は、次々に上下方向に配列するように、摺動可能かつ取り外し可能に２つの支持柱１０の組立溝１２に嵌め込まれると共に、それぞれ、上縁部と、底縁部と、２つの端部と、上位置決め部２１１と、下位置決め部２１２と、２つの傾斜部２１３を備え、そのうち、２つの端部はそれぞれ、横板２１における両端かつ上縁部と底縁部の間に位置し、支持柱１０の組立溝１２に取り付けられ、該上位置決め部２１１は上縁部に設けられ、該下位置決め部２１２は底縁部に設けられ、隣接する横板２１の上位置決め部２１１に組み合わされ、該傾斜部２１３はそれぞれ、底縁部の両側に斜めに形成される。
尚、本実施例では、必要に応じて、横板２１の数量を自由に増減することにより、調整式フェンス１の高さを調整することができる。また、本実施例における各横板２１は、木材やプラスチック、金属からなることが好まく、また、アルミからなってもよく、如何なる金属からなってもよい。
【００２６】
図１乃至図４、図９、図１０に示すように、前記保持底板２２は、複数の横板２１の下方に位置するように、摺動可能かつ取り外し可能に支持柱１０の組立溝１２に設置され、上縁部と、下側保持部２２１と、２つの保持凸部２２２と、２つの保持端部２２３を有し、そのうち、下側保持部２２１は、上縁部に設けられ、隣接する横板２１の下位置決め部２１２に組み合わされ、該保持凸部２２２はそれぞれ、保持底板２２の上縁部の両側に形成され、隣接する横板２１の傾斜部２１３に組み合わされ、該保持端部２２３は、保持底板２２の両端に設けられ、取り外し可能に２つの支持柱１０の組立溝１２に設置される。尚、本実施例においては、保持底板２２が、木材やプラスチック、金属からなることが好まく、更にアルミからなってもよく、如何なる金属からなってもよい。
【００２７】
図１乃至図３、図９に示すように、前記保持上板２３は、複数の横板２１の上方に位置するように、摺動可能かつ取り外し可能に２つの支持柱１０の組立溝１２に嵌め込まれると共に、底縁部及び上側保持部２３１を備え、該上側保持部２３１は、底縁部に設けられ、隣接する横板２１の上位置決め部２１１に組み合わされる。尚、本実施例においては、保持上板２３が、木材やプラスチック、金属からなることが好ましく、更に、アルミからなってもよく、如何なる金属からなってもよい。
【００２８】
図１乃至図３、図９に示すように、前記横板２１における上位置決め部２１１は、横板２１の上縁部に凸設される位置決め用の凸部であると共に、下位置決め部２１２は、横板２１の底縁部に凹設される位置決め用の凹部であり、図１０に示すように、前記保持底板２２の下側保持部２２１は、隣接する横板２１の下位置決め部２１２に組み合わされる位置決め用の凸部であり、図９に示すように、前記保持上板２３の上側保持部２３１は、隣接する横板２１の上位置決め部２１１に組み合わされる位置決め用の凹部である。
【００２９】
図１乃至図３、図１１に示すように、前記２つの位置合わせ部材３０はそれぞれ、フェンス部材２０の支持柱１０からの脱落を防ぐために、フェンス部材２０と密接するように、取り外し可能に柱１１の組立溝１２に取り付けられ、取付板３１と、ネジ穴３２と、押圧板３３と、第一締付け部材３４と、第二締付け部材３５を備え、該取付板３１は、摺動可能に支持柱１０の組立凹部１１１１に嵌め込まれ、そのうち、ネジ穴３２は、取付板３１を貫通するように形成され、該押圧板３３は、取付板３１から延設されると共に、フェンス部材２０の保持上板２３を押し付け、該第一締付け部材３４は、支持柱１０の組立面１１１に押し付けながらネジ穴３２に螺合され、該第二締付け部材３５は、押圧板３３及びフェンス部材２０の保持上板２３に捻じ込まれるので、押圧板３３が保持上板２３をしっかりと押圧することができる。尚、本実施例においては、第一締め部材３４がボルトであり、第二締付け部材３５はネジであることが好ましい。
【００３０】
図４に示すように、前記２つの緩和部材４０はそれぞれ弾性を備え、支持柱１０の組立面１１１とフェンス部材２０の保持底板２２の保持端部２２３との間に位置するように、支持柱１０の組立溝１２に取り付けられると共に、保持底板２２の保持端部２２３に嵌め込まれ、その保持底板２２または支持柱１０の柱１１を熱膨張や冷間圧縮を行う時に、保持底板２２と柱１１との間に力を発生し、この力を緩和部材４０によって緩和することにより変形を防止することができる。尚、本実施例においては、緩和部材４０が発泡材料からなることが好ましい。
【００３１】
図１、図１２、図１３に示すように、複数の調整式フェンス１は、組み立てにより、所望の寸法を有するフェンスを構成することができる。即ち、一方の調整式フェンス１における複数の横板２１、保持底板２２、保持上板２３をそれぞれ支持柱１０の組立溝１２に取り付けると共に、他方の調整式フェンス１における複数の横板２１、保持底板２２、保持上板２３をそれぞれ支持柱１０の拡張溝１３に取り付けることによって、所望のフェンスを得ることができる。
【００３２】
前記の構成によれば、本考案の調整式フェンス１は、以下示すようなメリットを有する。
１.  本考案の調整式フェンス１は、必要に応じて横板２１の数量を自由に増減できるので、調整式フェンス１を好みの高さに調整することができる。
２.  最も下方に位置する側の横板２１に保持底板２２が組み合わされることによって、一つ或いは複数の横板２１のうちの中間部分がフェンス部材２０の重さで湾曲して変形することを防止することができる。
３.  最も上方に位置する側の横板２１に保持上板２３が組み合わされることによって、一つ或いは複数の横板２１が支持柱１０から脱落脱出することを防止できる。
４.  位置合わせ部材３０が第一締付け部材３４及び第二締付け部材３５によってフェンス部材２０を固定することにより、横板２１をしっかりと位置決めするので、支持柱１０からの脱落を防止すると共に、調整式フェンス１の構造も強化できる。
５.  その緩和部材４０を有することから、保持底板２２または支持柱１０の柱１１の熱膨張や冷間圧縮で発生した力を緩和することにより変形を防止することができる。
【符号の説明】
【００３３】
１                          調整式フェンス
１０                        支持柱
１１                        柱
１１１                      組立面
１１１１                    組立凹部
１１２                      拡張面
１１２１                    拡張凹部
１２                        組立溝
１３                        拡張溝
１４                        縁部材
１４１                      細長部
１４２                      耳部
１５、１５Ａ、１５Ｂ        足部材
１５１、１５１Ａ、１５１Ｂ  連結部
１５２、１５２Ａ、１５２Ｂ  固定部
１５２１                    固定穴
１６                        蓋部材
２０                        フェンス部材
２１                        横板
２１１                      上位置決め部
２１２                      下位置決め部
２１３                      傾斜部
２２                        保持底板
２２１                      下側保持部
２２２                      保持凸部
２２３                      保持端部
２３                        保持上板
２３１                      上側保持部
３０                        位置合わせ部材
３１                        取付板
３２                        ネジ穴
３３                        押圧板
３４                        第一締付け部材
３５                        第二締付け部材
４０                        緩和部材
【図１】
0003205872.tif 000003
【図２】
0003205872.tif 000004
【図３】
0003205872.tif 000005
【図４】
0003205872.tif 000006
【図５】
0003205872.tif 000007
【図６】
0003205872.tif 000008
【図７】
0003205872.tif 000009
【図８】
0003205872.tif 000010
【図９】
0003205872.tif 000011
【図１０】
0003205872.tif 000012
【図１１】
0003205872.tif 000013
【図１２】
0003205872.tif 000014
【図１３】
0003205872.tif 000015